(57)【要約】【課題】待ち受け状態からテキストデータを送信するまでに時間がかかるという問題を解決する携帯電話機を提供する。【解決手段】操作部２０７は、ダイヤル発信用のキーと文字入力用のキーとが兼用された文字キーを有する。保持用メモリ２０６は、テキストデータの送信先を示すアドレス情報を格納する。制御部２０９は、待ち受け状態になると、文字キーを文字入力用のキーとして使用する文字入力モードに設定し、この状態で文字キーに対して操作が行われると、当該操作内容に応じたテキストデータを、保持用メモリ２０６内のアドレス情報が示す送信先に送信する。【選択図】図２
2012054808.tif 000002
【特許請求の範囲】
【請求項１】
音声通話およびデータ通信が可能な携帯電話機であって、
ダイヤル発信用のキーと文字入力用のキーとが兼用された操作キーを有する操作部と、
テキストデータの送信先を示すアドレス情報を格納する格納部と、
待ち受け状態になると、前記操作キーを前記文字入力用のキーとして使用する文字入力モードに設定し、この状態で前記操作キーに対して操作が行われると、当該操作内容に応じたテキストデータを、前記格納部内の前記アドレス情報が示す送信先に送信する制御部と、を有する携帯電話機。
【請求項２】
前記制御部は、前記操作部に対して入力モードを切り換える切換操作が行われた場合、前記文字入力モードを、前記操作キーを前記ダイヤル発信用のキーとして使用するダイヤル入力モードに切り換える、請求項１に記載の携帯電話機。
【請求項３】
前記制御部は、前記文字入力モードが設定されているときに、前記操作部に対して、予め定められた緊急相手先電話番号を入力するダイヤル入力手順と同一手順の操作が行われた場合、前記緊急相手先電話番号に対して音声通話の発信を行う、請求項１または２に記載の携帯電話機。
【請求項４】
前記制御部は、前記テキストデータを送信した後、当該テキストデータを破棄する、請求項１なしい３のいずれか１項に記載の携帯電話機。
【請求項５】
周囲を撮影して画像データを取得する撮影部をさらに有し、
前記制御部は、前記テキストデータを送信する際、前記撮影部に前記画像データを取得させ、当該画像データを前記テキストデータに添付して送信する、請求項１ないし４のいずれか１項に記載の携帯電話機。
【請求項６】
周囲の音声を音声データとして取得する音声取得部をさらに有し、
前記制御部は、前記テキストデータを送信する際、前記音声取得部に前記音声データを取得させ、当該音声データを前記テキストデータに添付して送信する、請求項１ないし５のいずれか１項に記載の携帯電話機。
【請求項７】
現在位置情報を取得する測位部をさらに含み、
前記制御部は、前記測位部にて取得された現在位置情報を前記テキストデータに添付して送信する、請求項１ないし６のいずれか１項に記載の携帯電話機。
【請求項８】
前記制御部は、現在時刻情報を前記テキストデータに添付して送信する、請求項１ないし７のいずれか１項に記載の携帯電話機。
【請求項９】
請求項１ないし８のいずれか１項に記載の携帯電話機と、サーバとを有する通信システムであって、
前記サーバは、前記携帯電話機からテキストデータを受信すると、当該テキストデータをアクセス可能に蓄積し、また、前記テキストデータに対するアクセスと前記テキストデータの受信とのどちらも行われなかった期間が所定期間以上継続した場合、予め設定された緊急連絡先に当該テキストデータにアクセスするためのアクセス情報を通知する、通信システム。
【請求項１０】
ダイヤル発信用のキーと文字入力用のキーとが兼用された操作キーを有する操作部とテキストデータの送信先を示すアドレス情報を格納する格納部とを有する携帯電話機による通信制御方法であって、
待ち受け状態になると、前記操作キーを前記文字入力用のキーとして使用する文字入力モードに設定し、
前記待ち受け状態において前記操作キーに対して操作が行われると、当該操作内容に応じたテキストデータを、前記格納部内の前記アドレス情報が示す送信先に送信する、通信制御方法。
【発明の詳細な説明】
【技術分野】
【０００１】
本発明は、音声通話機能およびデータ通信機能を有する携帯電話機に関する。
【背景技術】
【０００２】
一般的な携帯電話機は、ダイヤル発信用のキーと文字入力用のキーとを兼用した操作キーが設けられ、キー入力モードを切り換えることで、操作キーをダイヤル発信用のキーとして使用したり、文字入力用のキーとして使用したりすることができる。
【０００３】
上記の携帯電話機では、一般的に、待ち受け状態におけるキー入力モードは、操作キーをダイヤル発信用のキーとして使用するためのダイヤル入力モードとなっており、メーラや、メモ帳、ブラウザなどの特定のアプリケーションが起動され、そのアプリケーションの文章入力画面が表示されると、キー入力モードが操作キーを文字入力用のキーとして使用するための文字入力モードに切り換えられる。このため、ユーザが待ち受け状態から文章を入力できるようになるまでに時間がかかるという問題があった。
【０００４】
これに対して特許文献１〜３には、待ち受け状態から直接文字入力を行うことが可能な携帯電子機器が記載されている。
【０００５】
特許文献１に記載の携帯電子機器は、待ち受け状態におけるダイヤル入力モードでキー入力が所定回数以上行われると、そのキー入力に対応する、ダイヤル入力モード時の記号である数字と、文字入力モード時の記号である文字とが表示され、それらの数字および文字に応じたアプリケーションのリストが表示される。ユーザがそのリストの中からアプリケーションを選択と、そのアプリケーションの文章入力画面が表示され、入力済みの数字または文字が文章入力画面に転用される。
【０００６】
また、特許文献２および３に記載の携帯電子機器では、待ち受け状態において、キー入力が行われると、そのキー入力に対応する、ダイヤル入力モード時の記号である数字と、文字入力モード時の記号である文字とがそれぞれ別の表示領域に表示される。ユーザが表示領域のいずれかを選択すると、その選択された表示領域に応じたアプリケーションの文章入力画面が表示され、その選択された表示領域に表示されている数字または文字が文章入力画面に転用される。
【先行技術文献】
【特許文献】
【０００７】
【特許文献１】特開２００９−２９０２９２号公報
【特許文献２】特開２０１０−３３４２９号公報
【特許文献３】特開２０１０−３３４３１号公報
【発明の概要】
【発明が解決しようとする課題】
【０００８】
特許文献１〜３に記載の携帯電子機器において、ユーザが入力した数字や文章などのテキストデータをネットワークに対して電子メールなどを用いて送信する場合、ユーザはアプリケーションや表示領域を選択し、その後、アプリケーションに応じた操作を行う必要がある。このため、待ち受け状態からテキストデータを送信するまでに時間がかかるという問題がある。
【０００９】
例えば、待ち受け状態で入力されたテキストデータが送信メールの本文に転用された場合、ユーザは、メーラに応じた操作を行い宛先や件名を設定し、さらに送信操作を行う必要がある。
【００１０】
本発明の目的は、上記の課題である、待ち受け状態からテキストデータを送信するまでに時間がかかるという問題を解決することが可能な携帯電話機、通信システムおよび通信制御方法を提供することである。
【課題を解決するための手段】
【００１１】
本発明による携帯電話機は、音声通話およびデータ通信が可能な携帯電話機であって、ダイヤル発信用のキーと文字入力用のキーとが兼用された操作キーを有する操作部と、テキストデータの送信先を示すアドレス情報を格納する格納部と、待ち受け状態になると、前記操作キーを前記文字入力用のキーとして使用する文字入力モードに設定し、この状態で前記操作キーに対して操作が行われると、当該操作内容に応じたテキストデータを、前記格納部内の前記アドレス情報が示す送信先に送信する制御部と、を有する。
【００１２】
本発明による通信システムは、前記携帯電話機と、サーバとを有する通信システムであって、前記サーバは、前記携帯電話機からテキストデータを受信すると、当該テキストデータをアクセス可能に蓄積し、また、前記テキストデータに対するアクセスと前記テキストデータの受信とのどちらも行われなかった期間が所定期間以上継続した場合、予め設定された緊急連絡先に当該テキストデータにアクセスするためのアクセス情報を通知する。
【００１３】
本発明による通信制御方法は、ダイヤル発信用のキーと文字入力用のキーとが兼用された操作キーを有する操作部とテキストデータの送信先を示すアドレス情報を格納する格納部とを有する携帯電話機による通信制御方法であって、待ち受け状態になると、前記操作キーを前記文字入力用のキーとして使用する文字入力モードに設定し、前記待ち受け状態において前記操作キーに対して操作が行われると、当該操作内容に応じたテキストデータを、前記格納部内の前記アドレス情報が示す送信先に送信する。
【発明の効果】
【００１４】
本発明によれば、待ち受け状態からテキストデータを送信するまでにかかる時間を短縮することが可能になる。
【図面の簡単な説明】
【００１５】
【図１】本発明の第１の実施形態の通信システムを示すブロック図である。
【図２】本発明の第１の実施形態の携帯電話機の構成例を示すブロック図である。
【図３】操作キーの一例を示す図である。
【図４】本発明の第１の実施形態の携帯電話機の動作の一例を説明するためのフローチャートである。
【図５】表示画面の一例を示す図である。
【図６】音声通話を行うか否かを確認する確認画面の一例を示す図である。
【図７】本発明の第１の実施形態の携帯電話機の動作の一例を説明するためのフローチャートである。
【図８】撮影画像データをテキストデータに添付するか否かを確認する確認画面の一例を示す図である。
【図９】文字入力モードとダイヤル入力モードとのトグル形式による切り換えを説明するための図である。
【発明を実施するための形態】
【００１６】
以下、本発明の実施形態について図面を参照して説明する。なお、以下の説明では、同じ機能を有するものには同じ符号を付け、その説明を省略する場合がある。
【００１７】
図１は、本発明の第１の実施形態の通信システムを示すブロック図である。図１において、通信システムは、携帯電話機１０１と、会社ＰＣ（Personal computer）／サーバ１０２と、自宅ＰＣ１０３と、サービス会社サーバ１０４とを有する。
【００１８】
携帯電話機１０１は、会社ＰＣ／サーバ１０２、自宅ＰＣ１０３およびサービス会社サーバ１０４のそれぞれと、基地局１０５、携帯電話網１０６、ゲートウェイサーバ１０７およびインターネット１０８を介して接続可能である。なお、会社ＰＣ／サーバ１０２の「ＰＣ／サーバ」は、ＰＣでもよいし、サーバでもよいことを意味する。
【００１９】
図２は、携帯電話機１０１の構成を示すブロック図である。図２において、携帯電話機１０１は、アンテナ２０１と、無線送受信部２０２と、カメラモジュール２０３と、ＧＰＳモジュール２０４と、動作用メモリ２０５と、保持用メモリ２０６と、操作部２０７と、表示部２０８と、マイクモジュール２０９と、制御部２１０とを有する。
【００２０】
アンテナ２０１は、基地局１０５と位相変調された電波の送受信を行う。無線送受信部２０２は、アンテナ２０１で受信された電波を復調する機能と、制御部２１０からのデジタルデータを位相変調してアンテナ２０１を介して電波で送信する機能とを有する。カメラモジュール２０３は、携帯電話機１０１の周囲を撮影して撮影画像データを取得する撮影部である。
【００２１】
ＧＰＳモジュール２０４は、ＧＰＳ衛星からの電波である測位用電波を受信する受信機を内蔵し、受信機で受信した測位用電波に基づいて自機の位置を測位して、その測位結果を現在位置情報として取得する測位部である。
【００２２】
動作用メモリ２０５および保持用メモリ２０６は、ＣＰＵ（Central Processing Unit）などのコンピュータにて読み取り可能な記録媒体である。動作用メモリ２０５は、コンピュータの動作を規定する動作プログラムを格納するとともに、その動作プログラムのワーキングエリアとして使用される。保持用メモリ２０６は、受信済みの電子メール、送信済みの電子メール、作成後送信前の電子メール、アドレス帳データ、および、撮影画像データなどのユーザデータを格納する格納部である。また、保持用メモリ２０６は、待ち受け状態において入力されたテキストデータの送信先を示すアドレス情報を格納する。なお、動作用メモリ２０５と保持用メモリ２０６の一部は、物理的に同一の記録媒体内の異なる格納領域で実現されることが一般的である。
【００２３】
操作部２０７は、ユーザが電話機能を用いて音声通話を行ったり、アドレス帳にデータを登録したり、電子メールを作成したり、各種機能の設定を行ったりするために用いられるキー入力部である。
【００２４】
操作部２０７の操作キーには、文字入力用の文字キーと、メニューキー、オンフックキー、オフフックキー、リダイヤルキーおよびクリアキーなどの特定の機能が割り当てられた機能キーとがある。また、文字キーは、ダイヤル発信用のキーと兼用されている。図３は、操作部２０７の操作キーの一例を示す図であり、文字入力用のキーとダイヤル発信用のキーとが兼用された文字キー３０１と、特定の機能が割り当てられた機能キー３０２とを示している。
【００２５】
表示部２０８は、種々の情報を表示する。例えば、表示部２０８は、発着信時における通話先の電話番号や、操作部２０７の操作内容に応じた電子メールデータなどの各種入力データを表示する。
【００２６】
マイクモジュール２０９は、周囲の音声を音声データとして取得する音声取得部である。
【００２７】
制御部２１０は、ＣＰＵなどのコンピュータであり、動作用メモリ２０５内の動作プログラムを読み取り、その読み取った動作プログラムを実行して、携帯電話機の各部を制御する。
【００２８】
例えば、制御部２１０は、無線送受信部２０２で復調された復調信号に基づいて着信報知を行ったり、音声信号やデジタルデータ信号の処理を行ったりして、音声通話機能やデータ通信機能（メール送受信機能およびサーバ接続機能）などを実現する。また、制御部２１０は、カメラモジュール２０３を制御し、シリアルＩ／Ｆ等を介して、明るさ、色調および画角サイズなどの設定や、撮影タイミングの指定などをカメラモジュール２０３に対して行い、カメラモジュール２０３に撮影画像データを取得させる。また、制御部２１０は、シリアルＩ／Ｆ等を介して、基地局から受信した位置関連情報（アシストデータ）をＧＰＳモジュール２０４に通知して、ＧＰＳモジュール２０４の測位誤差の補正を行わせてもよい。また、制御部２１０は、マイクモジュール２０９を制御し、マイクモジュール２０９に音声データを取得させ、その音声データを保持用メモリ２０６に格納する音声メモ機能を実現させてもよい。
【００２９】
また、制御部２１０は、待ち受け状態になると、操作部２０７の文字キーを文字入力用のキーとして使用する文字入力モードに設定する。そして、制御部２１０は、待ち受け状態において、文字キーに対して操作が行われると、当該操作内容に応じたテキストデータを、保持用メモリ２０６内のアドレス情報が示す送信先に送信する。
【００３０】
次に携帯電話機１０１の動作を説明する。
【００３１】
先ず、図４を用いて、携帯電話機１０１が待ち受け状態のときに、ユーザが操作部２０７の操作キーを操作した際の動作を説明する。
【００３２】
先ず、制御部２１０は、ユーザによるキー操作を検知し、文字入力モードが解除されているか否かを判断する（ステップＳＴ１１）。
【００３３】
文字入力モードが解除されていない場合、制御部２１０は、キー操作が緊急発信を行う緊急発信操作であるか否かを判断する（ステップＳＴ１２）。
【００３４】
キー操作が緊急発信操作でない場合、制御部２１０は、キー操作が文字入力モードを解除する解除操作であるか否かを判断する（ステップＳＴ１３）。
【００３５】
キー操作が解除操作でない場合、制御部２１０は、キー操作が緊急発信条件を満たす緊急条件操作か否かを判断する（ステップＳＴ１４）。
【００３６】
キー操作が緊急条件操作でない場合、制御部２１０は、キー操作に応じた文字入力を確定し、そのユーザにて操作された文字キーに割り当てられた文字を表示部２０８に表示し（ステップＳＴ１５）、処理を終了する。
【００３７】
本実施形態では、携帯電話機１０１が待ち受け状態の場合、基本的には上記のようにステップＳＴ１１、ＳＴ１２、ＳＴ１３、ＳＴ１４、ＳＴ１５の順に処理が行われることを想定している。つまり、待ち受け状態において、デフォルトの入力モードは文字入力モードに設定されており、特別なキー入力が行われない限りは文字入力が行われる。この場合、待ち受け状態で文字入力が行われると、表示部２０８には、図５に示すような入力文字を含む表示画面４０１が表示される。
【００３８】
以下、特別なキー入力が行われた場合の携帯電話機１０１の動作について説明する。
【００３９】
先ず、ステップＳＴ１３における文字入力モードを解除する解除操作について説明する。例えば、オフフックキーなどの機能キーのように文字入力には通常使用されない特定のキーを文字入力モード解除用のキーとして割り当てておく。
【００４０】
ステップＳＴ１３において文字入力モード解除用のキーが操作された場合、制御部２１０は、キー操作が解除操作であると判断し、ステップＳＴ１７に移行する。ステップＳＴ１７では、制御部２１０は、文字入力モードを解除して、操作キーをダイヤル発信用のキーとして使用するダイヤル入力モードに切り換える。これ以降のキー操作時では、ステップＳＴ１１で文字入力モードが解除されていると判断され、ステップＳＴ１９にてダイヤル入力が行われる。
【００４１】
なお、待ち受け状態における最初のキー操作が解除操作でない場合、制御部２１０は、その後のキー操作時においてステップＳＴ１３をスキップしてもよい。また、本実施形態では、入力モードがダイヤル入力モードに切り換えられた後に待ち受け状態に戻った場合、制御部２１０は、入力モードを自動的に文字入力モードに切り換えるものとする。また、解除操作は、入力モードを切り換える切換操作として使用されている。
【００４２】
次にステップＳＴ１２およびＳＴ１４における緊急発信操作および緊急条件操作について説明する。
【００４３】
「１１０」や「１１９」などの緊急時のための電話番号である緊急相手先番号を入力する操作が行われた場合、その操作に応じた文字入力を行うより、優先的に緊急相手先番号に対して発信を行うほうがよい。このため、ステップＳＴ１４では、制御部２１０は、操作部２０７に対して、予め定められた緊急相手先番号をダイヤル入力するダイヤル入力手順と同一手順の操作が行われたか否かを判断し、その同一手順が行われた場合、キー操作が緊急条件操作であると判断して、ステップＳＴ１８に移行する。例えば、文字入力モードであっても、ダイヤル１が割り当てられたキー、ダイヤル１が割り当てられたキー、ダイヤル０が割り当てられたキーの順にキー操作が行われた場合、制御部２１０は、キー操作が緊急条件操作であると判断して、ステップＳＴ１８に移行する。
【００４４】
ステップＳＴ１８では、制御部２１０は、図６に示すような、緊急相手先番号に対して音声通話を行うか否かを確認する確認画面５０１を表示部２０８に表示する。その後、キー操作が行われた場合、制御部２１０は、ステップＳＴ１２において、キー操作が緊急発信操作か否かを判断する。
【００４５】
キー操作が緊急発信操作の場合、制御部２１０は、ステップＳＴ１６に移行し、緊急相手先番号に対して音声通話の緊急発信を行う。ここで、緊急発信操作としては、例えば、図６で示した表示画面におけるＹＥＳに対応したキー（ソフトウェアキー５０２）や、オフフックキーや決定キーなどの機能キーのうちの予め割り当てられたキーに対する操作などが挙げられる。
【００４６】
キー操作が緊急発信操作でない場合、制御部２１０は、図５に示した確認画面５０１をキャンセルして、文字入力が継続する。緊急発信操作でない操作としては、図５で表示画面におけるＮＯに対応したキー（ソフトウェアキー５０３）や、オフフックキーや決定キーなどの機能キーのうちの予め割り当てられたキー、文字キーに対する操作などが挙げられる。
【００４７】
なお、ダイヤル入力手順と異なる手順の操作が行われた時点（例えば、最初のキー操作がダイヤル１の割り当てられたキー以外のキーに対するキー操作であった場合、そのキー操作が行われた時点）、制御部２１０は、その後のキー操作時においてステップＳＴ１４をスキップしてもよい。また、確認画面５０１が表示されていない場合、制御部２１０は、ステップＳＴ１２をスキップしてもよい。
【００４８】
次に、上記の手順にて待ち受け状態で入力されたテキストデータを予め定められたサーバ等に送信する際の動作について説明する。図７は、この動作の一例を説明するためのフローチャートである。
【００４９】
先ず、ステップＳＴ６１において、ユーザは事前にテキストデータの送信先を示すアドレス情報を携帯電話機１０１に設定する。ここで、アドレス情報は保持用メモリ２０６に格納されるものとする。なお、アドレス情報の設定はテキストデータを送信するたびに行う必要はなく、一度行われれば頻繁に変更されるものではないため、図６では、他の毎回行う処理と区別するためにステップＳＴ６１を破線表記で示している。また、テキストデータの送信先としては、図１に示したような、インターネット１０８に接続された、会社ＰＣ／サーバ１０２、自宅ＰＣおよびサービス会社サーバ１０４などが挙げられる。
【００５０】
次にステップＳＴ６２において、図４を用いて説明した動作が繰り返されることにより文字入力が行われ、操作部２０７に対して、文字入力が完了したことを示す完了操作が行われると、制御部２１０は、ステップＳＴ６３に移行する。なお、文字入力に応じたテキストデータは制御部２１０によって動作用メモリ２０５に一時的に保存される。
【００５１】
ステップＳＴ６３では、制御部２１０は、動作用メモリ２０５からテキストデータを取得するとともに、保持用メモリ２０６からアドレス情報を取得する。制御部２１０は、アドレス情報に応じてテキストデータから送信用のデジタルデータを作成する。例えば、アドレス情報が電子メールアドレスの場合、制御部２１０は、テキストデータを電子メールの本文に転用し、アドレス情報を電子メールの宛先に転用することで、電子メールをデジタルデータとして作成する。そして、制御部２１０は、その作成したデジタルデータを、無線送受信部２０２およびアンテナ２０１を介して送信する。
【００５２】
その後、ステップＳＴ６４において、制御部２１０は、待ち受け状態に戻り、処理を終了する。
【００５３】
なお、ステップ６３において、制御部２１０は、デジタルデータを送信するまでに、そのデジタルデータを送信するか否かを確認する確認画面を表示部２０８に表示し、その後、操作部２０７に対してデジタルデータを送信するための操作が行われた場合にのみ、そのデジタルデータを送信してもよい。
【００５４】
また、アドレス情報が電子メールアドレスの場合、携帯電話機１０１のメモリ消費の節約や個人情報保護の観点から、制御部２１０は、送信したデジタルデータを破棄して、送信済みメールとして携帯電話機１０１に保存させないようにしてもよい。
【００５５】
次に、上記のような処理により携帯電話機１０１から送信されたデジタルデータを管理するサービスについて説明する。
【００５６】
以下では、ステップＳＴ６１において、サービス会社サーバ１０４を送信先として示すアドレス情報が設定されたものとする。この場合、サービス会社サーバ１０４は、携帯電話機１０１からデジタルデータを受信し、そのデジタルデータをアクセス可能に蓄積する。この蓄積されたデジタルデータは、サービス会社が提供する、Ｗｅｂブラウザなどで閲覧可能なコンテンツとリンクされる。そのコンテンツを介してデジタルデータにアクセスするためのアクセス情報（ＵＲＬやパスワードなど）は、通常、サービス契約者（利用者）のみに開示される。利用者は、会社ＰＣ／サーバ１０２や自宅ＰＣ１０３などにアクセス情報を入力して、コンテンツにアクセスする。そして、利用者は、会社ＰＣ／サーバ１０２や自宅ＰＣ１０３などを用いて、サービス会社サーバ１０４に蓄積されたデジタルデータを呼び出し、そのデジタルデータの閲覧、編集および削除などの処理を行う。
【００５７】
ここで、サービス利用者は予め緊急時の連絡先（家族のメールアドレスや電話番号など）である緊急連絡先をサービス会社サーバ１０４に設定可能であるとする。この場合、サービス会社サーバ１０４は、デジタルデータに対するアクセスとデジタルデータの受信とのどちらも行われなかった期間が所定期間以上継続した場合、緊急連絡先に対してアクセス情報を送信して、家族等にアクセス情報を開示する。また、上記の期間が所定期間以上継続した場合、サービス会社サーバ１０４は、予め設定された利用者の連絡先である通常連絡先に対して、テキストデータを開示してよいか否かを確認する確認情報を送信し、その後、一定期間以上経過してもその確認情報に対する応答情報を受信しなかった場合、および、確認情報に対する応答情報として開示許諾を示す応答情報を受信した場合、緊急時の連絡先に対してアクセス情報を送信してもよい。
【００５８】
利用者は、本サービスを利用することにより、一般公開を行わない、日記、ブログまたは備忘録などの自己の記録を簡単に残すことができる。
【００５９】
以上説明したように本実施形態によれば、操作部２０７は、ダイヤル発信用のキーと文字入力用のキーとが兼用された文字キーを有する。保持用メモリ２０６は、テキストデータの送信先を示すアドレス情報を格納する。制御部２０９は、待ち受け状態になると、文字キーを文字入力用のキーとして使用する文字入力モードに設定し、この状態で文字キーに対して操作が行われると、当該操作内容に応じたテキストデータを、保持用メモリ２０６内のアドレス情報が示す送信先に送信する。
【００６０】
このため、待ち受け状態で入力されたテキストデータが保持用メモリ２０６に格納されたアドレス情報の示す送信先に送信されるので、待ち受け状態からテキストデータを送信するまでにかかる時間を短縮することが可能になる。
【００６１】
したがって、携帯電話機１０１を日記を付けるネットワークサービスにおけるサーバに日記をアップロードするのに活用した場合、利用者は、特別なアプリケーションを起動する操作を行うことなく、思い付いた時に即座に日記を残すことが可能になる。
【００６２】
また、本実施形態では、制御部２１０は、文字入力モードが設定されているときに、操作部２０７に対して緊急相手先番号を入力するダイヤル入力手順と同一手順の操作が行われた場合、緊急相手先番号に対して音声通話の発信を行う。このため、文字入力モードであっても、緊急相手先番号が入力された場合、直ぐに緊急発信を行うことが可能になるので、手数を増やすことなく、電話機の基本機能としての緊急発信を行うことが可能になる。
【００６３】
また、本実施形態では、サービス会社サーバ１０４は、携帯電話機１０１からのテキストデータをアクセス可能に蓄積し、テキストデータに対するアクセスとテキストデータの受信とのどちらも行われなかった期間が所定期間以上継続した場合、緊急連絡先に対してアクセス情報を通知する。
【００６４】
このため、利用者によってテキストデータに対するアクセスとテキストデータの受信とのどちらも行われなかった期間が所定期間以上継続した場合、テキストデータの内容を伝えたい相手に伝えることが可能になる。したがって、利用者にとって大切な人等に日頃伝えられない言葉や思いを即座に記録できるようにし、ネットワークサービスと連携して、万が一の時でもその記録を大切な人等に伝えることを可能とする環境（「心の保険」のようなもの）を提供することができる。また、万が一のことがなくても、幼少の頃に抱いていた子供への思いを成人した子供に伝えるようなことを可能とする環境（「心のタイムマシン」のようなもの）を提供することができる。
【００６５】
次に本発明の他の実施形態について説明する。
【００６６】
本実施形態における携帯電話機１０１の構成は、図２で示した第１の実施形態の携帯電話機と同じであるが、以下の処理をさらに行う。
【００６７】
待ち受け状態からの文字入力が完了した場合、つまり、文字入力が完了したことを示す完了操作が操作部２０７に対して行われた場合、制御部２１０は、カメラモジュール２０３で撮影した撮影画像データをテキストデータに添付して送信する。
【００６８】
より具体的には、完了操作が操作部２０７に対して行われた場合、先ず、制御部２１０は、図８に示すように、撮影画像データをテキストデータに添付するか否かを確認する確認画面８０１を表示部２０８に表示する。その後、操作部２０７に対して撮影画像データをテキストデータに添付する操作が行われた場合、制御部２１０は、カメラモジュール２０３を起動して撮影画像データを取得させ、その撮影画像データをテキストデータに添付して送信する。また、カメラモジュール２０３で事前に撮影された撮影画像データなどの画像データが保持用メモリ２０６に格納されていれば、制御部２１０は、その画像データをテキストデータに添付して送信してもよい。
【００６９】
なお、画像データが複数ある場合、制御部２１０は、その画像データのうちユーザにて選択された画像データをテキストデータに添付して送信してもよい。また、撮影画像データをテキストデータに添付する操作は、例えば、図８で示した表示画面におけるＹＥＳ対応したキー（ソフトウェアキー８０２）に対する操作である。また図８で示した表示画面におけるＮＯに対応したキー（ソフトウェアキー８０３）に対して操作が行われると、制御部２１０は、画像データの添付を行わずに、テキストデータを送信する。
【００７０】
また、制御部２１０は、撮影画像データの代わりに、ＧＰＳモジュール２０４で取得された現在位置情報、現在時刻情報、マイクモジュール２０９で取得された音声データ、保持用メモリ２０６に格納されている音声データをテキストデータに添付して送信してもよいし、これらの情報を組み合わせてテキストデータに添付して送信してもよい。
【００７１】
また、待ち受け状態において、制御部２１０は、入力モードを切り換える切換操作（解除操作）が行われるたびに、文字入力モードとダイヤル入力モードとをトグル形式で切り換えるものでもよい。つまり、文字入力モード解除用のキーが操作されるたびに、制御部２１０は、入力モードとして文字入力モードとダイヤル入力モードとを交互に設定してもよい。例えば、図９で示すように、制御部２１０は、待受け画面の右下に表示したソフトウェアキー９０１が操作されるたびに、文字入力モード（Ａ）とダイヤル入力モード（Ｂ）とをトグル形式で切り換える。なお、図９の各待受け画面の左下に表示されている表示情報は現在の入力モードを示すものである。
【００７２】
この場合、文字入力が完了した後に待ち受け状態に戻る際に、制御部２１０は、入力モードを文字入力モードに切り換えてもよいし、完了直前の入力モードのままにしておいてもよい。
【００７３】
以上説明したように本実施形態によれば、画像データ、音声データ、現在位置情報および現在時刻情報などをテキストデータに添付して送信することが可能になるので、簡単により多くの情報を送信することが可能になる。
【００７４】
以上説明した各実施形態において、図示した構成は単なる一例であって、本発明はその構成に限定されるものではない。
【００７５】
[付記１]
音声通話およびデータ通信が可能な携帯電話機であって、
ダイヤル発信用のキーと文字入力用のキーとが兼用された操作キーを有する操作部と、
テキストデータの送信先を示すアドレス情報を格納する格納部と、
待ち受け状態になると、前記操作キーを前記文字入力用のキーとして使用する文字入力モードに設定し、この状態で前記操作キーに対して操作が行われると、当該操作内容に応じたテキストデータを、前記格納部内の前記アドレス情報が示す送信先に送信する制御部と、を有する携帯電話機。
【００７６】
[付記２」
前記制御部は、前記操作部に対して入力モードを切り換える切換操作が行われた場合、前記文字入力モードを、前記操作キーを前記ダイヤル発信用のキーとして使用するダイヤル入力モードに切り換える、付記１に記載の携帯電話機。
【００７７】
[付記３]
前記制御部は、前記操作部に対して前記切換操作が行われた場合、前記文字入力モードと前記ダイヤル入力モードとをトグル形式で切り換える、付記２に記載の携帯電話機。
【００７８】
[付記４]
前記制御部は、前記文字入力モードが設定されているときに、前記操作部に対して、予め定められた緊急相手先電話番号を入力するダイヤル入力手順と同一手順の操作が行われた場合、前記緊急相手先電話番号に対して音声通話の発信を行う、付記１ないし３のいずれか１項に際の携帯電話機。
【００７９】
[付記５]
表示部をさらに有し、
前記制御部は、前記操作部に対して前記同一手順の操作が行われると、前記緊急相手先電話番号に対して音声通話を行うか否かを確認する確認画面を前記表示部に表示し、その後、前記操作部に対して音声通話を行う操作が行われると、前記緊急相手先電話番号に対して音声通話の発信を行う、付記４に記載の携帯電話機。
【００８０】
[付記６]
表示部をさらに有し、
前記制御部は、前記テキストデータを送信する前に、当該テキストデータを送信するか否かを確認する確認画面を前記表示部に表示し、その後、前記操作部に対して前記テキストデータを送信する操作が行われると、当該テキストデータを送信する、付記１なしい５のいずれか１項に記載の携帯電話機。
【００８１】
[付記７]
前記制御部は、前記テキストデータを送信た後、当該テキストデータを破棄する、付記１なしい６のいずれか１項に記載の携帯電話機。
【００８２】
[付記８]
周囲を撮影して画像データを取得する撮影部をさらに有し、
前記制御部は、前記テキストデータを送信する際、前記撮影部に前記画像データを取得させ、当該画像データを前記テキストデータに添付して送信する、付記１ないし７のいずれか１項に記載の携帯電話機。
【００８３】
[付記９]
前記格納部は、画像データを格納し、
前記制御部は、前記格納部内の画像データを前記テキストデータに添付して送信する、付記１ないし７のいずれか１項に記載の携帯電話機。
【００８４】
[付記１０]
周囲の音声を音声データとして取得する音声取得部をさらに有し、
前記制御部は、前記テキストデータを送信する際、前記音声取得部に前記音声データを取得させ、当該音声データを前記テキストデータに添付して送信する、付記１ないし７のいずれか９項に記載の携帯電話機。
【００８５】
[付記１１]
前記格納部は、音声データを格納し、
前記制御部は、前記格納部内の音声データを前記テキストデータに添付して送信する、付記１ないし９のいずれか１項に記載の携帯電話機。
【００８６】
[付記１２]
現在位置情報を取得する測位部をさらに含み、
前記制御部は、前記測位部にて取得された現在位置情報を前記テキストデータに添付して送信する、付記１ないし１１のいずれか１項に記載の携帯電話機。
【００８７】
[付記１３]
前記制御部は、現在時刻情報を前記テキストデータに添付して送信する、付記１ないし１２のいずれか１項に記載の携帯電話機。
【００８８】
[付記１４]
付記１ないし１３のいずれか１項に記載の携帯電話機と、サーバとを有する通信システムであって、
前記サーバは、前記携帯電話機からテキストデータを受信すると、当該テキストデータをアクセス可能に蓄積し、また、前記テキストデータに対するアクセスと前記テキストデータの受信とのどちらも行われなかった期間が所定期間以上継続した場合、予め設定された緊急連絡先に当該テキストデータにアクセスするためのアクセス情報を通知する、通信システム。
【００８９】
[付記１５]
前記サーバは、前記期間が前記所定期間以上継続した場合、前記テキストデータを開示してよいか否かを確認する確認情報を予め設定された通常連絡先に通知し、前記確認情報に対して開示許諾を示す応答情報を受信した場合、前記緊急連絡先に前記アクセス情報を通知する、付記１４に記載の通信システム。
【００９０】
[付記１６]
前記サーバは、前記期間が前記所定期間以上継続した場合、前記テキストデータを開示してよいか否かを確認する確認情報を予め設定された通常連絡先に通知し、その後、一定期間以上経過しても前記確認情報に対する応答情報を受信しなかった場合、前記緊急連絡先に前記アクセス情報を通知する、付記１４または１５に記載の通信システム。
【符号の説明】
【００９１】
１０１    携帯電話機
１０２    会社ＰＣサーバ
１０３    自宅ＰＣ
１０４    サービス会社サーバ
１０５    基地局
１０６    携帯電話網
１０７    ゲートウェイサーバ
１０８    インターネット
２０１    アンテナ
２０２    無線送受信部
２０３    カメラモジュール
２０４    ＧＰＳモジュール
２０５    動作用メモリ
２０６    保持用メモリ
２０７    操作部
２０８    表示部
２０９    マイクモジュール
２１０    制御部
【図１】
2012054808.tif 000003
【図２】
2012054808.tif 000004
【図３】
2012054808.tif 000005
【図４】
2012054808.tif 000006
【図５】
2012054808.tif 000007
【図６】
2012054808.tif 000008
【図７】
2012054808.tif 000009
【図８】
2012054808.tif 000010
【図９】
2012054808.tif 000011